(57)【要約】【課題】汎用性が高く、なお且つ、洗浄性に優れたバイトバルブを提供する。【解決手段】飲料容器３０の飲み口３１に着脱自在に取り付けられるバイトバルブ１０であって、飲み口３１と連通される中心孔１１ａを有して、飲み口３１の外側に嵌め付けられる弾性変形可能なノズル部材１１と、中心孔１１ａの先端側を閉塞する弁体１２ａを有して、中心孔１１ａの内側に着脱自在に取り付けられたシャフト部材１２と、ノズル部材１１を弾性変形させることによって、中心孔１１ａと弁体１２ａとの間に形成される隙間を開放するバルブ部１３と、ノズル部材１１の基端側から拡径方向に突出されたフランジ部１４とを備える。【選択図】図８
2019085147.tif 000002
【特許請求の範囲】
【請求項１】
飲料容器の飲み口に着脱自在に取り付けられるバイトバルブであって、
前記飲み口と連通される中心孔を有して、前記飲み口の外側に嵌め付けられる弾性変形可能なノズル部材と、
前記中心孔の先端側を閉塞する弁体を有して、前記中心孔の内側に着脱自在に取り付けられたシャフト部材と、
前記ノズル部材を弾性変形させることによって、前記中心孔と前記弁体との間に形成される隙間を開放するバルブ部と、
前記ノズル部材の基端側から拡径方向に突出されたフランジ部とを備えることを特徴とするバイトバルブ。
【請求項２】
前記フランジ部が前記ノズル部材と一体に形成されていることを特徴とする請求項１に記載のバイトバルブ。
【請求項３】
前記フランジ部に通気孔が設けられていることを特徴とする請求項１又は２に記載のバイトバルブ。
【請求項４】
前記ノズル部材は、前記中心孔の内周面から縮径方向に突出された係止凸部を有し、
前記飲み口の外側に前記ノズル部材が嵌め付けられた状態において、前記係止凸部が前記飲み口の外側の一部に係止されることを特徴とする請求項１〜３の何れか一項に記載のバイトバルブ。
【請求項５】
前記シャフト部材は、前記中心孔の内側から前記中心孔の基端よりも外側に向かって突出されたガイドピンを有し、
前記飲み口の外側に前記ノズル部材が嵌め付けられた状態において、前記ガイドピンが前記飲み口の内側に挿入されることを特徴とする請求項１〜４の何れか一項に記載のバイトバルブ。
【請求項６】
前記ガイドピンは、前記中心孔の内側を周方向において区画する仕切り壁を有することを特徴とする請求項５に記載のバイトバルブ。
【請求項７】
請求項１〜６の何れか一項に記載のバイトバルブが取り付けられた飲料容器を収納するバイトバルブ付き飲料容器用ポーチであって、
前記ノズル部材及び前記フランジ部を外部に露出した状態で、前記飲料容器を内部に収容するポーチ本体と、
前記ノズル部材を外部に露出させる開口部を有して、前記ポーチ本体に屈曲自在に取り付けられたフラップ部と、
前記フラップ部の先端側を前記ポーチ本体に固定する固定具とを備え、
前記開口部から前記ノズル部材を外部に露出した状態で、前記フラップ部が前記固定具を介して前記ポーチ本体に固定されたときに、前記フランジ部が前記ポーチ本体と前記フラップ部との間に保持されることを特徴とするバイトバルブ付き飲料容器用ポーチ。
【請求項８】
前記ポーチ本体が断熱構造を有することを特徴とする請求項７に記載のバイトバルブ付き飲料容器用ポーチ。
【請求項９】
前記飲料容器は、ゼリー飲料が収容されたパウチ容器であることを特徴とする請求項７又は８に記載のバイトバルブ付き飲料容器用ポーチ。
【発明の詳細な説明】
【技術分野】
【０００１】
本発明は、バイトバルブ及びバイトバルブ付き飲料容器用ポーチに関する。
【背景技術】
【０００２】
従来より、バイトバルブが設けられたマウスピースをホースなどの先端に取り付けて、このホースと接続された容器内の飲料を飲むことが行われている（例えば、特許文献１，２などを参照。）。
【０００３】
バイトバルブでは、マウスピースをくわえた状態で軽く噛むことで、バルブが開放される。この状態で、ホースを通して容器内の飲料を吸い込むことができる。このようなバイトバルブを用いた飲料容器では、不用意な液漏れ等を防ぎつつ、手軽に持ち運ぶことが可能である。また、飲料を摂取する度にキャップの開閉操作を行う必要がないため、非常に便利である。
【先行技術文献】
【特許文献】
【０００４】
【特許文献１】米国特許第６７６４０６４号明細書
【特許文献２】特許第３６２９４９２号公報
【発明の概要】
【発明が解決しようとする課題】
【０００５】
ところで、バイトバルブは、上述したホースなどの先端に取り付けられたマウスピースに限らず、様々な飲料容器の飲み口に装着して使用することが可能である。しかしながら、従来のバイトバルブは、飲料容器の形態に合わせて設計された専用品の場合が多く、汎用性を持たせることが困難であった。
【０００６】
例えば、パウチ容器入り飲料やペットボトル入り飲料などの市販の容器入り飲料では、飲料容器における飲み口の形状がメーカー毎に若干異なっている。このため、メーカーの異なる飲料容器の間で１つのバイトバルブを使い回して使用することは困難であった。
【０００７】
また、従来のバイトバルブは、部品を細かく分解して洗浄することが困難であり、洗浄性に劣ることから、使用可能な飲料が水などの粘性の低い飲料に限定されることが多かった。
【０００８】
さらに、従来の飲料容器では、ポーチなどに収納して保冷したり、持ち運び易くしたりすることが行われている。したがって、このようなバイトバルブが取り付けられた飲料容器においても、ポーチなどに収納して携帯時の利便性を向上させることが求められている。
【０００９】
本発明は、このような従来の事情に鑑みて提案されたものであり、汎用性が高く、なお且つ、洗浄性に優れたバイトバルブ、並びに、そのようなバイトバルブが取り付けられた飲料容器を携帯する際の更なる利便性の向上を可能としたバイトバルブ付き飲料容器用ポーチを提供することを目的とする。
【課題を解決するための手段】
【００１０】
上記目的を達成するために、本発明は以下の手段を提供する。
〔１〕  飲料容器の飲み口に着脱自在に取り付けられるバイトバルブであって、
前記飲み口と連通される中心孔を有して、前記飲み口の外側に嵌め付けられる弾性変形可能なノズル部材と、
前記中心孔の先端側を閉塞する弁体を有して、前記中心孔の内側に着脱自在に取り付けられたシャフト部材と、
前記ノズル部材を弾性変形させることによって、前記中心孔と前記弁体との間に形成される隙間を開放するバルブ部と、
前記ノズル部材の基端側から拡径方向に突出されたフランジ部とを備えることを特徴とするバイトバルブ。
〔２〕  前記フランジ部が前記ノズル部材と一体に形成されていることを特徴とする前記〔１〕に記載のバイトバルブ。
〔３〕  前記フランジ部に通気孔が設けられていることを特徴とする前記〔１〕又は〔２〕に記載のバイトバルブ。
〔４〕  前記ノズル部材は、前記中心孔の内周面から縮径方向に突出された係止凸部を有し、
前記飲み口の外側に前記ノズル部材が嵌め付けられた状態において、前記係止凸部が前記飲み口の外側の一部に係止されることを特徴とする前記〔１〕〜〔３〕の何れか一項に記載のバイトバルブ。
〔５〕  前記シャフト部材は、前記中心孔の内側から前記中心孔の基端よりも外側に向かって突出されたガイドピンを有し、
前記飲み口の外側に前記ノズル部材が嵌め付けられた状態において、前記ガイドピンが前記飲み口の内側に挿入されることを特徴とする前記〔１〕〜〔４〕の何れか一項に記載のバイトバルブ。
〔６〕  前記ガイドピンは、前記中心孔の内側を周方向において区画する仕切り壁を有することを特徴とする前記〔５〕に記載のバイトバルブ。
〔７〕  前記〔１〕〜〔６〕の何れか一項に記載のバイトバルブが取り付けられた飲料容器を収納するバイトバルブ付き飲料容器用ポーチであって
前記ノズル部材及び前記フランジ部を外部に露出した状態で、前記飲料容器を内部に収容するポーチ本体と、
前記ノズル部材を外部に露出させる開口部を有して、前記ポーチ本体に屈曲自在に取り付けられたフラップ部と、
前記フラップ部の先端側を前記ポーチ本体に固定する固定具とを有し、
前記開口部から前記ノズル部材を外部に露出した状態で、前記フラップ部が前記固定具を介して前記ポーチ本体に固定されたときに、前記フランジ部が前記ポーチ本体と前記フラップ部との間に保持されることを特徴とするバイトバルブ付き飲料容器用ポーチ。
〔８〕  前記ポーチ本体が断熱構造を有することを特徴とする前記〔７〕に記載のバイトバルブ付き飲料容器用ポーチ。
〔９〕  前記飲料容器は、ゼリー飲料が収容されたパウチ容器であることを特徴とする前記〔７〕又は〔８〕に記載のバイトバルブ付き飲料容器用ポーチ。
【発明の効果】
【００１１】
以上のように、本発明によれば、汎用性が高く、なお且つ、洗浄性に優れたバイトバルブ、並びに、そのようなバイトバルブが取り付けられた飲料容器を携帯する際の更なる利便性の向上を可能としたバイトバルブ付き飲料容器用ポーチを提供することが可能である。
【図面の簡単な説明】
【００１２】
【図１】本発明の一実施形態に係るバイトバルブと、飲料容器と、ポーチとの外観を示す斜視図である。
【図２】図１に示すバイトバルブの構成を示す分解斜視図である。
【図３】図１に示すバイトバルブの構成を示す側面図である。
【図４】図１に示すバイトバルブを先端側から見た平面図である。
【図５】図１に示すバイトバルブを基端側から見た平面図である。
【図６】図１に示すバイトバルブの構成を示す断面図である。
【図７】図１に示すバイトバルブが飲料容器の飲み口に取り付けられた状態を示す斜視図である。
【図８】図７に示すバイトバルブ付き飲料容器の要部を示す断面図である。
【図９】バイトバルブ付き飲料容器のポーチへの収納を順に説明するための図であり、バイトバルブ付き飲料容器がポーチ本体に収容された状態を示す斜視図である。
【図１０】バイトバルブ付き飲料容器のポーチへの収納を順に説明するための図であり、フラップ部をポーチ本体に固定具を介して固定した状態を示す斜視図である。
【図１１】フランジ部がポーチ本体とフラップ部との間に保持された状態を示す側面図である。
【発明を実施するための形態】
【００１３】
以下、本発明の実施形態について、図面を参照して詳細に説明する。
本発明の一実施形態として、例えば図１に示すバイトバルブ１０と、バイトバルブ１０が取り付けられる飲料容器３０と、バイトバルブ１０が取り付けられた飲料容器３０（以下、バイトバルブ付き飲料容器３０Ａという。）を収納するバイトバルブ付き飲料容器用ポーチ（以下、ポーチという。）５０とについて説明する。なお、図１は、バイトバルブ１０と、飲料容器３０と、ポーチ５０との外観を示す斜視図である。
【００１４】
（バイトバルブ）
先ず、本実施形態のバイトバルブ１０について、図１〜図６を参照しながら説明する。
なお、図２は、バイトバルブ１０の構成を示す分解斜視図である。図３は、バイトバルブ１０の構成を示す側面図である。図４は、バイトバルブ１０を先端側から見た平面図である。図５は、バイトバルブ１０を基端側から見た平面図である。図６は、バイトバルブ１０の構成を示す断面図である。
【００１５】
本実施形態のバイトバルブ１０は、図１〜図６に示すように、中心孔１１ａを有する弾性変形可能なノズル部材１１と、中心孔１１ａの先端側を閉塞する弁体１２ａを有して、中心孔１１ａの内側に着脱自在に取り付けられたシャフト部材１２と、ノズル部材１１を弾性変形させることによって、中心孔１１ａと弁体１２ａとの間に形成される隙間を開放するバルブ部１３と、ノズル部材１１の基端側から拡径方向に突出されたフランジ部１４とを備えている。
【００１６】
ノズル部材１１は、例えばシリコーンゴム等のゴムやエラストマー、軟質の合成樹脂などの弾性部材からなる。ノズル部材１１は、断面円形状の中心孔１１ａを中心に全体として略円筒状に形成されている。
【００１７】
中心孔１１ａの先端側には、円板状の弁体１２ａにより閉塞されるシール部１１ｂが設けられている。シール部１１ｂの内周面は、弁体１２ａの外周面と全周に亘って密着した状態となっている。また、ノズル部材１１の先端と弁体１２ａとが略一致した高さとなっている。
【００１８】
中心孔１１ａの略中央部には、シャフト部材１２を係止する係止溝１１ｃが設けられている。係止溝１１ｃは、中心孔１１ａの内周面を全周に亘って切り欠くように形成されている。
【００１９】
中心孔１１ａの内側には、シール部１１ｂと係止溝１１ｃとの間で湾曲しながら拡径されたバイト空間Ｋ１が設けられている。ノズル部材１１では、このバイト空間Ｋ１が形成された部分の厚みが他の部分よりも薄くなっている。
【００２０】
中心孔１１ａの基端側には、縮径方向に突出された係止凸部１１ｄが設けられている。係止凸部１１ｄは、中心孔１１ａの内周面から全周に亘って突出形成されている。また、中心孔１１ａの内側には、係止溝１１ｃと係止凸部１１ｄとの間で一定の径で拡径された嵌め込み空間Ｋ２と、係止溝１１ｃと嵌め込み空間Ｋ２との間で一定の径で縮径された縮径部１１ｅとが設けられている。ノズル部材１１では、この嵌め込み空間Ｋ２が形成された部分の厚みが係止凸部１１ｄ及び縮径部１１ｅが形成された部分よりも薄くなっている。
【００２１】
シャフト部材１２は、例えばポリプロピレン（ＰＰ）やアクリロニトリル・ブタジエン・スチレン（ＡＢＳ）等の熱可塑性樹脂からなる。シャフト部材１２は、中心孔１１ａの内側に挿入可能な軸部１２ｂを有している。弁体１２ａは、軸部１２ｂの先端に配置されている。
【００２２】
シャフト部材１２は、軸部１２ｂの基端側から延長されたガイドピン１２ｃを有している。ガイドピン１２ｃは、中心孔１１ａの内側から中心孔１１ａの基端よりも外側に向かって突出して設けられている。
【００２３】
ガイドピン１２ｃの外周面には、中心孔１１ａの内側を周方向において区画する複数（本実施形態では４つ）の仕切り壁１２ｄが設けられている。複数の仕切り壁１２ｄは、ガイドピン１２ｃの周方向に等間隔に並んで配置されると共に、ガイドピン１２ｃの軸線方向に亘って一定の高さで突出形成されている。
【００２４】
シャフト部材１２は、弁体１２ａがシール部１１ｂを閉塞する位置にて、係止溝１１ｃに嵌合される略円環状の係止リング１２ｅを有している。係止リング１２ｅは、軸部１２ｂとガイドピン１２ｃとの境界付近において、複数の仕切り壁１２ｄと接続されている。これにより、係止リング１２ｅの内側には、複数の仕切り壁１２ｄにより分割された複数（本実施形態では４つ）の分割孔１２ｆが設けられている。
【００２５】
バルブ部１３は、ノズル部材１１（特にバイト空間Ｋ１が形成された部分）を弾性変形させることによって、シール部１１ｂ（中心孔１１ａ）と弁体１２ａとの間に形成される隙間を開放するスクイズ弁を構成している。すなわち、このバルブ部１３では、ノズル部材１１のバイト空間Ｋ１が形成された部分を軽く噛む（力を加える）ことで、このノズル部材１１の弾性変形によりシール部１１ｂ（中心孔１１ａ）と弁体１２ａとの間に隙間が形成された状態となる。
【００２６】
一方、バルブ部１３では、ノズル部材１１を噛むのを止める（ノズル部材１１に加わる力を解除する）ことによって、ノズル部材１１が弾性復帰し、シール部１１ｂ（中心孔１１ａ）と弁体１２ａとの間が再び閉塞された状態となる。
【００２７】
フランジ部１４は、ノズル部材１１と一体に形成されることによって、このノズル部材１１の基端側の外周面から全周に亘って略円板状に突出形成されている。フランジ部１４には、複数（本実施形態では３つ）の通気孔１４ａが設けられている。複数の通気孔１４ａは、フランジ部１４の径方向の中央付近に位置して、ノズル部材１１の周方向に等間隔に並んで配置されている。
【００２８】
以上のような構成を有する本実施形態のバイトバルブ１０では、中心孔１１ａの先端又は基端側からノズル部材１１を弾性変形させながら、ガイドピン１２ｃ又は弁体１２ａ側からシャフト部材１２を中心孔１１ａの内側に挿入する。そして、係止溝１１ｃに係止リング１２ｅが嵌合されることによって、中心孔１１ａの内側にシャフト部材１２が係止（抜け止め）された状態となる。これにより、ノズル部材１１の中心孔１１ａの内側にシャフト部材１２を取り付けることができる。また、使用中に誤ってシャフト部材１２がノズル部材１１から抜け出すことを防ぐことが可能である。
【００２９】
一方、上述した動作とは逆の動作によって、中心孔１１ａの内側からシャフト部材１２を取り外すことができる。すなわち、中心孔１１ａの外側に飛び出したガイドピン１２ｃを押す又は引くことで、中心孔１１ａの先端又は基端側からシャフト部材１２を押し出す又は引き抜くようにする。このとき、ノズル部材１１を弾性変形させながら、係止溝１１ｃに対する係止リング１２ｅの嵌合（係止）状態を解除する。これにより、中心孔１１ａの内側からシャフト部材１２を取り外す（抜き取る）ことができる。
【００３０】
したがって、本実施形態のバイトバルブ１０では、ノズル部材１１の中心孔１１ａからシャフト部材１２を取り外して、ノズル部材１１とシャフト部材１２とを別々に洗浄できるため、中心孔１１ａとシャフト部材１２との間を衛生的に保つことが可能である。
【００３１】
また、本実施形態のバイトバルブ１０では、ノズル部材１１の基端側からフランジ部１４が拡径方向に突出して設けられている。したがって、このフランジ部１４を把持しながら、ノズル部材１１を弾性変形させることによって、中心孔１１ａの内側からシャフト部材１２を取り外し易くすることが可能である。
【００３２】
さらに、本実施形態のバイトバルブ１０では、フランジ部１４に通気孔１４ａが設けられていることから、仮に幼児等がバイトバルブ１０を誤飲してしまった場合でも、この通気孔１４ａを通して気道を確保することが可能である。
【００３３】
（バイトバルブ付き飲料容器）
次に、本実施形態のバイトバルブ付き飲料容器３０Ａについて、図１、図７及び図８を参照しながら説明する。なお、図７は、バイトバルブ１０が飲料容器３０の飲み口３１に取り付けられた状態（バイトバルブ付き飲料容器３０Ａ）を示す斜視図である。図８は、バイトバルブ付き飲料容器３０Ａの要部を示す断面図である。
【００３４】
本実施形態のバイトバルブ付き飲料容器３０Ａは、図１、図７及び図８に示すように、上記バイトバルブ１０が飲料容器３０の飲み口３１に着脱自在に取り付けられたものである。
【００３５】
飲料容器３０は、例えばゼリー飲料が収容されたパウチ容器である。このパウチ容器は、例えばラミネートフィルムからなるガゼット袋の内側にゼリー飲料が封入され、熱融着により貼り合わされたラミネートフィルムの貼り合せ面の間から飲み口３１となるキャップ付きスパウトが外部へと引き出された構造を有している。
【００３６】
飲み口３１には、改竄防止キャップ（図示せず。）が螺合により着脱自在に取り付けられている。このため、飲み口３１を形成するステムの外周面には、ネジ山３１ａが形成されている。
【００３７】
本実施形態のバイトバルブ付き飲料容器３０Ａでは、ノズル部材１１（特に嵌め込み空間Ｋ２が形成された部分）を弾性変形させながら、飲料容器３０の飲み口３１の外側にノズル部材１１が嵌め付けられている。このとき、飲み口３１の先端が係止リング１２ｅに当接した位置にて、中心孔１１ａの内側に設けられた係止凸部１１ｄが飲み口３１の外側に設けられたネジ山３１ａの一部と係止された状態となる。
【００３８】
なお、飲料容器３０の飲み口３１の全長が短い場合は、飲み口３１の先端を係止リング１２ｅに必ずしも当接させる必要はなく、ノズル部材１１のフランジ部１４が飲み口３１の基端側と当接した状態としてもよい。
【００３９】
また、飲料容器３０の飲み口３１にノズル部材１１を嵌め付ける際は、少なくとも係止凸部１１ｄがネジ山３１ａの一部に係止された状態とすればよく、飲み口３１の全長や形状によっては必ずしも、上述した飲み口３１の先端を係止リング１２ｅに当接させたり、ノズル部材１１のフランジ部１４を飲み口３１の基端側に当接させたりする必要はない。
【００４０】
これにより、飲み口３１に対してノズル部材１１（バイトバルブ１０）が抜け止めされた状態となっている。また、係止凸部１１ｄの内周面及び縮径部１１ｅの内周面が飲み口３１の外周面と全周に亘って密着した状態となるため、この部分の止水性を確保することが可能である。
【００４１】
また、係止凸部１１ｄは、フランジ部１４ｄと径方向に連続して形成されているため、この係止凸部１１ｄが形成された部分の厚みが縮径部１１ｅが形成された部分の厚みよりも厚くなっている。これにより、係止凸部１１ｄは、より強固に飲み口３１に係止された状態となる。
【００４２】
一方、本実施形態のバイトバルブ付き飲料容器３０Ａでは、ノズル部材１１を弾性変形させながら、係止凸部１１ｄとネジ山３１ａとの係止状態を解除することによって、飲み口３１の外側に嵌め付けられたノズル部材１１（バイトバルブ１０）を取り外すことが可能である。
【００４３】
以上のように、本実施形態のバイトバルブ付き飲料容器３０Ａでは、バイトバルブ１０を軽く噛むことでバルブ部１３が開放される。これにより、バイトバルブ１０を通して飲料容器３０内の飲料を吸い込む（飲む）ことができる。一方、バイトバルブ１０を噛むのを止めることで、バルブ部１３が閉塞される。これにより、バイトバルブ１０からの不用意な液漏れ等を防ぐことができる。
【００４４】
したがって、本実施形態のバイトバルブ付き飲料容器３０Ａでは、不用意な液漏れ等を防ぎつつ、手軽に持ち運ぶことが可能である。また、飲料を摂取する度にキャップの開閉操作を行う必要がないため、非常に便利である。
【００４５】
本実施形態のバイトバルブ１０では、飲み口３１の内側にガイドピン１２ｃを挿入しながら、飲み口３１の外側にノズル部材１１を嵌め付けるため、このガイドピン１２ｃにより飲み口３１を中心孔１１ａの内側へと案内しながら、中心孔１１ａに対して飲み口３１を嵌め込み（押し込み）易くすることが可能である。
【００４６】
また、本実施形態のバイトバルブ１０では、フランジ部１４を把持しながら、ノズル部材１１を弾性変形させることによって、上述した飲み口３１に対するノズル部材１１（バイトバルブ１０）の着脱操作を行い易くすることが可能である。
【００４７】
また、本実施形態のバイトバルブ１０では、ノズル部材１１を弾性変形させながら、飲み口３１の外側にノズル部材１１を嵌め付ける構造のため、飲料容器３０における飲み口３１の形状（例えば外径やネジ山３１ａの位置など。）がメーカー毎に若干異なっていても、これら形状の異なる飲料容器３０の間で汎用性を持たせることが可能である。すなわち、このバイトバルブ１０を形状の異なる飲料容器３０の間で使い回して使用することが可能である。
【００４８】
また、本実施形態のバイトバルブ１０では、上述した複数の仕切り壁１２ｄにより分割された複数の分割孔１２ｆが設けられている。ゼリー飲料が収容されたパウチ容器の場合、飲料容器３０の可撓性が高いため、バイトバルブ１０を吸う以外にも、この飲料容器３０を押圧して凹ませることで、内部のゼリー飲料をバイトバルブ１０から押し出すことができる。このとき、複数の仕切り壁１２ｄによりゼリー飲料を分断しながら、適度に破砕されたゼリー飲料が複数の分割孔１２ｆを通してバイトバルブ１０から押し出される。これにより、ゼリー飲料を飲み易くすることが可能である。
【００４９】
（バイトバルブ付き飲料容器用ポーチ）
次に、本実施形態のポーチ５０について、図１、図９〜図１１を参照しながら説明する。
なお、図９は、バイトバルブ付き飲料容器３０Ａのポーチ５０への収納を順に説明するための図であり、バイトバルブ付き飲料容器３０がポーチ本体５１に収容された状態を示す斜視図である。図１０は、バイトバルブ付き飲料容器３０Ａのポーチ５０への収納を順に説明するための図であり、フラップ部５２をポーチ本体５１に固定具５３を介して固定した状態を示す斜視図である。図１１は、フランジ部がポーチ本体５１とフラップ部５２との間に保持された状態を示す側面図である。
【００５０】
本実施形態のポーチ５０は、図１に示すように、飲料容器３０を内部に収容するポーチ本体５１と、ポーチ本体５１の上部に屈曲自在に取り付けられたフラップ部５２と、フラップ部５２の先端側をポーチ本体５１に固定する固定具５３とを有している。
【００５１】
ポーチ本体５１は、例えば表生地がポリエステル等の合成繊維からなり、内側にポリウレタンや発泡ポリエチレン等の断熱材が装入された断熱（保冷）構造を有している。また、ポーチ本体５１は、フラップ部５２と対向する上面（第１の面）５１ａと、上面５１ａと連続した側面（第２の面）５１ｂとの間に亘って開閉されるジップファスナー５４を有している。ジップファスナー５４を閉じる方向は、側面５１ｂから上面５１ａに向かう方向である。
【００５２】
フラップ部５２は、屈曲自在な材料からなり、その先端側がポーチ本体５１の上面５１ａから正面（第３の面）５１ｃに沿って屈曲されるように、ポーチ本体５１に一体に取り付けられている。本実施形態では、フラップ部５２がポーチ本体５１と同じ、例えば表生地がポリエステル等の合成繊維からなり、ポーチ本体５１と一体に縫製されている。フラップ部５２は、バイトバルブ１０のノズル部材１１を外部に露出させる開口部５２ａを有している。
【００５３】
開口部５２ａは、フラップ部５２を構成する一対の湾曲したフラップ片５２ｂ，５２ｃを重ね合わせることで、これらフラップ片５２ｂ，５２ｃの内側に形成されるものである。また、フラップ部５２は、一対のフラップ片５２ｂ，５２ｃのうち、一方のフラップ片５２ｂの表面と、他方のフラップ片５２ｃの裏面とに取り付けられた面ファスナーにより、これら一対のフラップ片５２ｂ，５２ｃを重ね合わせた状態で一体化することができる。
【００５４】
固定具５３は、フラップ部５２（一方のフラップ片５２ｂ）の先端側の裏面と、このフラップ部５２（一方のフラップ片５２ｂ）の先端側と対向するポーチ本体５１の正面５１ｃとに取り付けられた面ファスナーにより構成されている。フラップ部５２をポーチ本体５１に固定する際は、面ファスナーを介して一方のフラップ片５２ｂをポーチ本体５１に固定した後、面ファスナーを介して他方のフラップ片５２ｃを一方のフラップ片５２ｂに固定する。これにより、開口部５２ａからノズル部材１１を外部に露出した状態で、フラップ部５２をポーチ本体５１に容易に固定することができる。
【００５５】
なお、固定具５３は、上述した面ファスナーに限らず、スナップボタンなどであってもよい。また、フラップ部５２については、上述した一対のフラップ片５２ｂ，５２ｃからなる構成に限らず、１つのフラップ片に開口部５２ａが設けられた構成とすることも可能である。
【００５６】
以上のような構成を有するポーチ５０にバイトバルブ付き飲料容器３０Ａを収納する際は、先ず、ジップファスナー５４を開いた状態から、図９に示すように、バイトバルブ１０のノズル部材１１及びフランジ部１４を外部に露出した状態で、飲料容器３０をポーチ本体５１の内部に収容した後に、ジップファスナー５４を閉じた状態とする。
【００５７】
次に、図１０に示すように、開口部５２ａからノズル部材１１を外部に露出した状態で、固定具５３を介してポーチ本体５１にフラップ部５２を固定する。これにより、バイトバルブ付き飲料容器３０Ａをポーチ５０に収納した状態で、飲料容器３０を保冷することが可能である。
【００５８】
本実施形態のポーチ５０では、図１１に示すように、バイトバルブ１０のフランジ部１４がポーチ本体５１とフラップ部５２との間に挟み込まれることによって、安定した状態で保持される。これにより、開口部５２ａから外部に露出したノズル部材１１をポーチ本体５１に対して固定することができる。
【００５９】
以上のように、本実施形態のポーチ５０では、バイトバルブ付き飲料容器３０Ａを携帯する際に、更なる利便性の向上を図ることが可能である。
【００６０】
なお、本発明は、上記実施形態のものに必ずしも限定されるものではなく、本発明の趣旨を逸脱しない範囲において種々の変更を加えることが可能である。
例えば、上記フランジ部１４は、ノズル部材１１と一体に形成された構成となっているが、このような構成に必ずしも限定されるものではなく、ノズル部材１１とは別体に形成されたフランジ部１４をノズル部材１１に取り付けた構成としてもよい。
【００６１】
また、上記実施形態では、ゼリー飲料が収容されたパウチ容器に本発明を適用したバイトバルブ１０を取り付ける場合を例示しているが、このような飲料容器に限定されるものではなく、例えばペットボトルなどの携帯可能な飲料容器に対して、本発明を適用したバイトバルブを取り付けることも可能である。また、本発明を適用したバイトバルブ及びポーチは、飲料容器及びその飲み口の形状等に合わせて適宜変更を加えることが可能である。
【００６２】
また、上記ポーチ５０については、更なる利便性の向上を図るため、例えば、小物入れや、リストバンド、ショルダーベルト、カラビナフック用ループ、ベルト用ループなどを適宜追加した構成とすることが可能である。
【符号の説明】
【００６３】
１０…バイトバルブ  １１…ノズル部材  １１ａ…中心孔  １１ｂ…シール部  １１ｃ…係止溝  １１ｄ…係止凸部  １１ｅ…縮径部  １２…シャフト部材  １２ａ…弁体  １２ｂ…軸部  １２ｃ…ガイドピン  １２ｄ…仕切り壁  １２ｅ…係止リング  １２ｆ…分割孔  １３…バルブ部  １４…フランジ部  １４ａ…通気孔  ３０…飲料容器  ３０Ａ…バイトバルブ付き飲料容器  ３１…飲み口  ３１ａ…ネジ山  ５０…ポーチ（バイトバルブ付き飲料容器用ポーチ）  ５１…ポーチ本体  ５１ａ…上面（第１の面）  ５１ｂ…側面（第２の面）  ５１ｃ…正面（第３の面）  ５２…フラップ部  ５２ａ…開口部  ５３…固定具  ５４…ジップファスナー  Ｋ１…バイト空間  Ｋ２…嵌め込み空間
【図１】
2019085147.tif 000003
【図２】
2019085147.tif 000004
【図３】
2019085147.tif 000005
【図４】
2019085147.tif 000006
【図５】
2019085147.tif 000007
【図６】
2019085147.tif 000008
【図７】
2019085147.tif 000009
【図８】
2019085147.tif 000010
【図９】
2019085147.tif 000011
【図１０】
2019085147.tif 000012
【図１１】
2019085147.tif 000013